(57)【要約】【課題】  撮像装置を３点支持などで保持するとき、長時間アイカップを当てていても顔が痛くならないようにする。【解決手段】  撮像装置のアイカップ２２を、軟らかいエラストマー樹脂による部材５２ａとそれよりやや硬めのエラストマー樹脂による部材５２ｂとから構成し、軟らかい部材５２ａによるアイカップ２２の縁辺２２ｂを、痛みを感じやすい鼻柱及び鼻柱の周辺にあたるようにして押圧力を軽減し、鼻柱及び鼻柱の周辺以外となる眼窩上下部や目尻側の頬骨の比較的痛みの感じにくい領域でアイカップ２２に掛かる押圧力の大部分を受けるようにしたものである。【選択図】      図５
2005181861.tif 000002
【特許請求の範囲】
【請求項１】
レンズ装置から入力される光に基づいて被写体の映像信号を形成する撮像手段と、
前記映像信号に基づいて映像を表示するビューファインダと、
前記ビューファインダと目との間で、該目を覆い外光を遮蔽するように設けられる撮像装置用アイカップにおいて、
顔に当たる部分に応じて、前記アイカップによる該顔に対する圧力が変わるように構成した
ことを特徴とする撮像装置用アイカップ。
【請求項２】
請求項１に記載の撮像装置用アイカップにおいて、
前記アイカップを介して前記ビューファインダを覗いたとき、
前記アイカップの顔に当たる縁辺による押圧力の内、鼻柱及び鼻柱の周辺に当たる領域における押圧力が、ほかの領域における押圧力より小さくなるようにした
ことを特徴とする撮像装置用アイカップ。
【請求項３】
請求項１又は２に記載の撮像装置用アイカップにおいて、
前記アイカップを略左右の領域に分けたとき、
前記鼻柱及び前記鼻柱の周辺に当たる側の領域における前記アイカップの材料の軟らかさを、前記鼻柱及び前記鼻柱の周辺以外の領域における材料より軟らかく構成した
ことを特徴とする撮像装置用アイカップ。
【発明の詳細な説明】
【技術分野】
【０００１】
本発明は、撮像された被写体の映像（画像）又は予め記憶装置に記憶された映像を表示する表示装置とビューファインダを備えた撮像装置に用いるビューファインダに取り付けるアイカップに関する。
【背景技術】
【０００２】
従来、撮像装置１００は、図１７に示すように、液晶表示パネルなどによる撮影画像の確認モニタとしても使用できる比較的大きな表示装置１０１のほかに、小型の表示装置が内蔵されたビューファインダ１０２が備えられている。このビューファインダ１０２は、特に、明るい昼光下などにおいて、液晶表示パネルなどの表示装置１０１の画像が外光によって見にくくなるとき、そしてフレーミングを始めとするカメラワークを十分発揮させた撮影を行うときなどに用いられるものである。そして、外光を遮断するため、ビューファインダ１０２と目との間には柔軟な材料で形成されたアイカップ１０３が設けられる。
【０００３】
従来のアイカップとしては、図１７に示すような、顔に当たる部分を略左右対称として薄く軟らかく形成したもの（例えば、特許文献１参照）や、左右で形状を変え目の周りの顔面にフィットさせるようにしてアイカップ全体を大きく軟らかく作ったもの（例えば、特許文献２参照）が知られている。
これら従来のアイカップはカップの部分が略同一素材かつ略同一厚で軟らかく形成し、このカップ部が柔軟に変形して顔の凹凸に密着させるものである。
【０００４】
また、アイカップには外光を遮断するほかに、ビューファインダに装着されて撮像装置を支持するという機能を要求されるものがある。
すなわち、ニュース報道などで業務用として用いられるハンディタイプの撮像装置では、例えばハイビジョンレベルの画像品質、長時間撮影、高度な撮影のためのさまざまなアクセサリへの対応、さらに安定した撮影を実現できるように人間工学的に配慮され必要十分な強度をもち、比較的軽量コンパクトなボディとすることなどが求められている。
【０００５】
そして、報道などの現場での使用に際し、図１６Ａに示すように、撮像装置を３点支持によって安定した姿勢で保持し撮影することが行われる。この３点支持は、脇を締めた両腕による２点とアイカップを介した顔面による１点の計３点による支持であり、撮像装置を長時間安定的に保持するためのものである。なお、撮像装置としては比較的軽量コンパクトではあるが、通常はホームユース向けの２〜３倍の重さをもっているものが用いられる。そして、両腕で撮像装置の重さを支え、顔面でその倒れ方向を規制することにより、体全体の向きで撮影方向を定めることができ、安定した撮影を行うことができるようにしている。
【特許文献１】特開２００１−３０５６１３号公報（第２頁，図１）
【特許文献２】特開２００１−２２８５０９号公報（第２頁，図１）
【発明の開示】
【発明が解決しようとする課題】
【０００６】
しかしながら、従来のアイカップは、個人差の大きい顔の形にアイカップの形状の変形のみで合わせようとするものであり、外光を完全に遮断しようとする場合、例えば、図１６Ｂに示す目の周りの顔面にアイカップを強く押し当てて顔面の凹凸に従ってアイカップを大きく変形させるようにしていた。
そして、このようにアイカップを大きく変形させた状態での使用では、アイカップの縁辺と顔が当たる、図１６Ｂに示す目の周りのうち網目状で示した目と鼻の間の鼻柱脇に相当する部分での押圧による痛みが、目の周りのほかの部分での押圧による痛みより強く感じさせるものとなっていた。
このため、カメラマンにとって、画像品質を向上させるために３点支持により撮像装置を長時間安定に保持することが、顔面へのアイカップの当たりによる痛みをもたらすという問題があった。
【０００７】
本発明は、かかる点に鑑み、撮影状態で長時間３点支持を続けても顔面が痛くならないような構成の撮像装置用アイカップを提案することを目的とする。
【課題を解決するための手段】
【０００８】
本発明の撮像装置用アイカップは、レンズ装置から入力される光に基づいて被写体の映像信号を形成する撮像手段と、この映像信号に基づいて映像を表示するビューファインダと、このビューファインダと目との間で、その目を覆い外光を遮蔽するように設けられる撮像装置用アイカップにおいて、顔に当たる部分に応じて、このアイカップによるその顔に対する圧力が変わるように構成したものである。
【０００９】
このように構成した本発明の撮像装置用アイカップによれば、アイカップによる顔面への当たりによる痛みが、アイカップの機能を損なうことなく低減できる。
【００１０】
また、本発明は、上記記載の撮像装置用アイカップにおいて、このアイカップを介してこのビューファインダを覗いたとき、このアイカップの顔に当たる縁辺による押圧力の内、鼻柱及びその周辺に当たる領域における押圧力が、ほかの領域における押圧力より小さくなるようにしている。
【００１１】
このように構成した本発明の撮像装置用アイカップによれば、３点支持で撮像装置を保持し顔面で支持の１点を担っても、相対的に目の周りの頬骨の眼窩上部や眼窩下部の比較的痛みを感じにくい領域での当たりを強くすることができるとともに、鼻柱及び鼻柱の周辺での当たりを弱くでき、長時間撮像装置を安定して支持できるようになり、撮影の画像品質の安定化を図ることができる。
【００１２】
さらに、本発明は、上記記載の撮像装置用アイカップにおいて、このアイカップを略左右の領域に分けたとき、この鼻柱及びこの鼻柱の周辺に当たる側の領域におけるこのアイカップの材料の軟らかさを、この鼻柱及びその周辺以外の領域における材料より軟らかく構成したものである。
【発明の効果】
【００１３】
本発明の撮像装置用アイカップによれば、長時間顔面に押し当てて使用しても目の周りが痛くなりにくいアイカップを提供することができる。
【発明を実施するための最良の形態】
【００１４】
以下、本発明の撮像装置用アイカップを実施するための最良の形態の例を図１〜図１６を参照して説明する。
【００１５】
図１〜図４に示すビデオカメラ１０は、本発明の撮像装置の一具体例を示すもので、情報記録媒体としてテープ状記録媒体を用いたデジタルビデオカセット（以下「ＤＶカセット」という。）を使用し、光学的な画像をＣＣＤ（電荷結合素子）で電気的な信号に変換してＤＶカセットに記録したり液晶ディスプレイ等の表示装置に表示できるようにしたものである。しかしながら、本発明の撮像装置としては、これに限定されるものではなく、電子スチルカメラその他の撮像装置に適用できるものである。更に、情報記録媒体としては、ＤＶカセットに限定されるものではなく、アナログビデオカセットその他のテープ状記録媒体を用いることができることは勿論のこと、ＤＶＤ（デジタルバーサタイルディスク）やＣＤ−ＲＯＭ等の読み出し専用の光ディスク及び記録可能な光ディスク、光磁気ディスク、磁気ディスク等のようなディスク状記録媒体、更には、半導体記録媒体等のように他の記録媒体を適用することもできる。
【００１６】
このビデオカメラ１０は、中空の筐体からなるケース本体１１と、このケース本体１１の前面に突出するように取り付けられたレンズ装置１２と、このレンズ装置１２から入力される光に基づいて被写体の映像信号を形成する撮像手段と、この撮像手段で形成された映像信号又は予め情報記録媒体（撮像手段の記憶装置或いはＤＶカセット）に記録されている情報に基づいて映像を表示する表示装置１３等から構成されている。ここで、本発明における映像と画像について定義する。本発明では、表示装置１３の表示面に表示された１コマ毎の像を「画像」といい、その画像の任意数の集合を「映像」というものとする。
【００１７】
ビデオカメラ１０の撮像手段は、ケース本体１１の内部に収納されていて図には現れないが、ＤＶカセットが着脱自在に装着されるカセットホルダと、このカセットホルダに装着されたＤＶカセットのテープ状記録媒体を走行させて情報信号の記録（書き込み）及び再生（読み出し）を行う記録再生装置と、この記録再生装置の駆動制御等を行う制御装置等から構成されている。また、撮像手段のＣＣＤはレンズ装置１２の光軸上後方に配置されていて、このＣＣＤで電気的な信号に変換された情報がＤＶカセットに記録される。
【００１８】
カセットホルダのカセット挿入口はケース本体１１に設けた開口部から外部に突出可能とされていて、その開口部は、ケース本体１１に回動自在に取り付けられた開閉蓋１４によって開閉自在とされている。符号１５は、開閉蓋１４のロックを解除して開閉蓋１４を開く蓋開放ボタンである。この蓋開放ボタン１５をスライド操作することにより、開閉蓋１４の下部を回動自在に支持する軸を中心に回動されて、開閉蓋１４の上部がケース本体１１の側方に開放される。
【００１９】
また、ケース本体１１の背面の開閉蓋１４と反対側には、凹陥部からなるバッテリー収納部１６が設けられている。このバッテリー収納部１６には、電源としてのバッテリー１７が着脱可能に装着されている。そして、ケース本体１１の背面の開閉蓋１４側には、撮像手段を操作するための多数の操作ボタン（例えば、音量調節ボタン、ホワイトバランスボタン、モード切替ボタン等）１８が設けられている。
【００２０】
ケース本体１１の上部には、レンズ装置１２の光軸方向である前後方向に延在された取手２０が一体に設けられている。取手２０は、ケース本体１１の前側上部に立設された前脚部２０ａと、ケース本体１１の後側上部に立設された後脚部２０ｂと、レンズ装置１２の光軸と略平行に延在されるとともに前後脚部２０ａ，２０ｂの上端間を連結する把持部２０ｃから構成されている。前脚部２０ａの下部と後脚部２０ｂは前側に傾斜するよう形成されていて、後脚部２０ｂの上部に電子ビューファインダ２１が取り付けられている。
【００２１】
電子ビューファインダ２１は、光軸方向後方に突出するように設けられていて、先端部にはアイカップ２２が取り付けられている。この電子ビューファインダ２１は、光軸方向前側において取手２０に回動自在に支持されており、アイカップ２２側が略８０度上方へ回動可能に構成されている。
【００２２】
アイカップ２２は、図５及び図６に示すように、カップの形状が、目の周りの顔面の形状に合わせたような縁辺２２ｂを有し、電子ビューファインダ２１を覗くことができるように底面に相当する部分に開口２２ａが設けられている。そして、カップが、開口２２ａから縁辺２２ｂまでを軟らかさの異なる２種の部材５２ａと部材５２ｂで形成され、その周りをカバーシート５３で覆って形成される。
それから、アイカップ２２は、電子ビューファインダ２１と嵌合させるための筒部５１に固定される。
【００２３】
図５及び図６に示すアイカップ２２は、右の目に使用する向きで図示してあり、撮影時、図示の左側が目と鼻の間の鼻柱及びその周辺に配され、図示の右側がそれ以外の顔面に当たるようになされる。
そして、図示の左の鼻柱及びその周辺に当たる部材５２ａは軟らかい高弾性高分子であるエラストマー樹脂材で形成され、図示の右の部材５２ｂは部材５２ａよりやや硬めのエラストマー樹脂材で形成される。
カバーシート５３は、柔軟で抗菌処理されたシリコンゴムなどの樹脂によりシート状に作製されたもので、略中央にアイカップ２２の開口２２ａとなる孔が設けられ、その周りに筒部５１と固定するためのネジ挿通孔が複数設けられる。
そして、これら部材５２ａと部材５２ｂとが接合された後、図６に示すように、カバーシート５３でアイカップ２２の縁辺２２ｂの柔軟性が損なわれることがないように全体が覆われる。
【００２４】
このような構造のアイカップ２２の作製手順を図７及び図８を参照して説明する。
【００２５】
アイカップ２２自体は、図７に示すように、予め、軟らかいエラストマー樹脂の部材５２ａとこれよりやや硬めのエラストマー樹脂の部材５２ｂを、成型また切断などにより所定の形状としておく。また、カバーシート５３もシリコンゴムなどのシートを折り返して袋状のカップの形状に成型しておく。
そして、このカバーシート５３に設けられた孔から、乾燥後も柔軟性を保持するゴム系などの接着剤を表面に薄く塗布した部材５２ｂと部材５２ａを入れ、図示しない所定形状の型に固定した状態で、乾燥してアイカップ２２とする。
【００２６】
カバーシート５３で覆われたアイカップ２２は、図８に示すように、その開口２２ａのカバーシート５３を、筒部５１と相フランジ５４で挟むようにしてネジで固定する。
そして、このアイカップ２２をビデオカメラ１０の電子ビューファインダ２１に装着して使用することができる。
【００２７】
このように構成されたアイカップを装着したビデオカメラ１０を、図１６Ａに示すように、アイカップを介した顔面と脇を締めた両腕との３点支持を行っても、従来に比べ目と鼻の間の鼻柱とその周りへの負担が低減されるため、長時間安定した姿勢でビデオカメラ１０を保持することができ、高い画像品質の長時間撮影を行うことが可能となる。
【００２８】
このように構成された本例の撮像装置用アイカップによれば、カップの縁辺２２ｂの顔面への押圧力を任意に変えることができ、特に、痛みを感じやすい目と鼻の間の部分にはアイカップ２２の軟らかい部分の縁辺２２ｂが当たるようにして、顔の形によらずアイカップ２２を顔にフィットさせることができ、外光を遮蔽するという機能を損なわずに大幅な使用感の向上を図ることができる。
【００２９】
また、本例の撮像装置用アイカップによれば、ビデオカメラ１０を３点支持する場合、目と鼻の間の鼻柱とその周り以外の、比較的痛みを感じにくい部分でビデオカメラ１０を支えるようにでき、長時間安定した姿勢を保つことができるため、撮影画像の品質を長時間維持するのに好適なものとなる。
【００３０】
アイカップ２２が取付けられる電子ビュ−ファインダ２１が設けられる取手２０の前端部には、把持部２０ｃの先端に連続する台座部２４と、この台座部２４の先端に連続して光軸方向前方に突出する突出部２５が設けられている。突出部２５は、前方及び左右側方に開口された中空状の部分からなり、その内部にはマイクロホン２６が収納されている。また、台座部２４は、光軸方向と交差する方向の両側に張り出すように比較的大きく形成されていて、上面に開口する凹陥部が設けられている。この台座部２４には、多数の操作ボタンからなる操作ボタン群２７を有する蓋体が一体的に嵌合固定されている。
【００３１】
図９に示すように、台座部２４に装着された蓋体の上面は、光軸方向前側を高くして後方へ傾斜するように形成されている。これにより、ビデオカメラ１０を体の前にささげ持つ撮影者の目線が、蓋体面に対して垂直に近い角度となるようにしている。この蓋体に設けられる操作ボタン群２７（図２参照）の具体的内容としては、例えば、再生ボタン、停止ボタン、早送りボタン、巻戻しボタン、一時停止ボタン、音量調整スイッチ、バックライトスイッチ等を挙げることができる。
【００３２】
この台座部２４の一方の側部には、回動支持部３０を介して表示装置の一具体例を示す液晶ディスプレイ１３が回動動作及び反転動作可能に取り付けられている。液晶ディスプレイ１３は、図１０に示すように、映像が表示される表示面１３ａと、この表示面１３ａを露出させる開口部が設けられたケース部１３ｂを備えており、ケース部１３ｂが回動支持部３０と連結されている。回動支持部３０は、台座部２４に対して液晶ディスプレイ１３を光軸方向と直交する方向である左右方向Ｓに回動可能とした第１の回動部と、液晶ディスプレイ１３を光軸方向である前後方向Ｔに回動可能とした第２の回動部から構成されている。
【００３３】
図1及び図１１に示すように、第１の回動部は、台座部２４の一側部において所定間隔をあけて設けられた一対の軸受部３１，３１と、両軸受部３１間に介在される軸受片３２と、これら一対の軸受部３１，３１及び軸受片３２を貫通する第１の回動軸３３から構成されている。第１の回動軸３３の軸心線方向と直交する方向に液晶ディスプレイ１３が略１８０度の角度範囲で左右方向Ｓに回動可能とされている。その結果、液晶ディスプレイ１３は、図１に示すように表示面１３ａと反対側のケース面が表側に現されるディスプレイ閉じ状態と、図２に示すように液晶ディスプレイ１３を左右方向へ１８０度回動させて表示面１３ａ（図２参照）を表側に現したディスプレイ開き状態を取ることができる。
【００３４】
また、第２の回動部は、軸受片３２と、この軸受片３２に立設された図示しない第２の回動軸と、この第２の回動軸とケース部１３ｂとの間に摩擦力を生じさせて液晶ディスプレイ１３を任意の角度で保持できるようにした図示しない回動摩擦機構から構成されている。第２の回動軸は第１の回動軸３３の軸心線方向と直交する方向に延在されていて、図３に示すように、液晶ディスプレイ１３が略２７０度の角度範囲で前後方向Ｔに回動可能とされている。その結果、液晶ディスプレイ１３は、図２に示すように表示面１３ａを上側に現した状態から後方へ９０度回動させて表示面１３ａを背面に向けた図３に示す状態（通常の撮影状態）を経て、更に後方へ９０度回動させることによりケース面を上側に現した状態（表示面１３ａは下向き）と、その状態から逆方向へ２７０度回動させて表示面１３ａを前面に向けた状態（自己を撮影する状態）を取ることができる。
【００３５】
また、液晶ディスプレイ１３は、その表示面１３ａを下に向けてケース面を上側に現した状態から左右方向に１８０度回動させることにより、図４に示すように、台座部２４の上に液晶ディスプレイ１３を重ね合わせて表示面１３ａを上側に現した状態を取ることができる。この表示面１３ａが表側である上面に現わされた状態では、その表示面１３ａは、台座部２４の上面２４ａと同様に傾斜角Φ（図９参照）によって取手２０の中心線ＴＬに対して若干後向きに傾斜されている。なお、液晶ディスプレイ１３の表示面１３ａが被写体に向く状態（自己を撮影する状態）のときには、切替えスイッチの作動を介して画像が自動的に反転するように構成する。
【００３６】
図２に示すように、台座部２４によって姿勢変更可能に支持された液晶ディスプレイ１３の近傍にあって、取手２０の把持部２０ｃの前端部２０ｄ（図９参照）には、撮像手段を操作するための操作ボタンの一具体例を示す録画ボタン３５と、レンズ装置１２を操作するための操作ボタンの一具体例を示すズームボタン３６が設けられている。この前端部２０ｄ上面は、図９に示すように、台座部２４の上面２４ａ（図９参照）と同様に傾斜角Φによって若干後向きに傾斜され、取手２０の中心線ＴＬと傾斜角Φで交差するように設定されている。しかしながら前端部２０ｄ上面は、取手２０の中心線ＴＬと平行であってもよい。
【００３７】
録画ボタン３５とズームボタン３６は横並びに配置されていて、図１０に示すように、取手２０を手で持った状態において、持ち方を変えることなく親指でともに操作できる位置に設定されている。これら録画ボタン３５及びズームボタン３６は、操作性を向上するために取手２０に設けた第２の録画ボタン及び第２のズームボタンである。そのため、ケース本体１１の開閉蓋１４と反対側の側面上部には、第２の録画ボタン及び第２のズームボタンとは別個独立に第１の録画ボタン３７と第１のズームボタン３８が設けられている。
【００３８】
図１０に示す符号４０は、ビデオカメラ１０の取り落とし等を防止するためのハンドベルトである。また、図１０及び図１１に示す符号４１は、フラッシュ装置等が着脱自在に装着されるアクセサリーシューである。
以上のように、ビデオカメラ１０が構成されている。
【００３９】
このような構成を有するビデオカメラ１０は、例えば、次のようにして良好な撮像作業等を実行することができる。まず、図１の状態では、液晶ディスプレイ１３が取手２０の台座部２４に格納されていて、その表示面１３ａが操作ボタン群２７と重なり合うよう内向きに対向されているため、表示面１３ａをしっかりと保護することができる。
【００４０】
ビデオカメラ１０の図１の状態から、回動支持部３０の第１の回動部を中心に液晶ディスプレイ１３を左右方向Ｓへ略１８０度回動させることにより、図２に示すように液晶ディスプレイ１３を側方に突出させて表示面１３ａを上方へ向けることができる。この状態では、液晶ディスプレイ１３の表示面１３ａを見て、被写体の状態を確認することができる。また、台座部２４に設けられた操作ボタン群２７が露出されるため、その操作ボタン群２７を使用してビデオカメラ１０の撮像手段を操作することができる。例えば、撮影した映像を再生するためのボタン類を配置しておくことにより、その映像内容の確認を容易に行うことができる。
【００４１】
更に、図２に示す状態から、回動支持部３０の第２の回動部を中心に液晶ディスプレイ１３を前方へ略９０度回動させることにより、表示面１３ａを被写体に向けることができる。また、液晶ディスプレイ１３を後方へ略９０度回動させることにより、図３に示すように、表示面１３ａを撮影者に向けることができる。このような状態のビデオカメラ１０を、図１６Ａに示すように、液晶ディスプレイ１３の表示面１３ａを撮影者の目線上に設定して支持することにより、楽な姿勢でビデオカメラ１０を支持しつつ、その表示面１３ａを目で見て被写体を確認しながら撮影することができる。
【００４２】
また、図３に示す状態から、回動支持部３０の第２の回動部を中心に液晶ディスプレイ１３を更に後方へ略９０度回動させて表示面１３ａを下に向けた後、第１の回動部を中心に液晶ディスプレイ１３を左右方向Ｓへ略１８０度回動させ、図４に示すように、液晶ディスプレイ１３を台座部２４に格納することにより、表示面１３ａを操作ボタン群２７の上に重ね合わせて上方へ向けることができる。この状態では、ケース本体１１の中心線上に液晶ディスプレイ１３が設置されるため、表示面１３ａを見易くすることができる。しかも、液晶ディスプレイ１３の両端がケース本体１１の側面部から側方に大きく突出することがないため、撮影時に液晶ディスプレイ１３が邪魔になることがない。
【００４３】
このような液晶ディスプレイ１３の取付姿勢は、例えば、図１２に示すように、ビデオカメラ１０がブレないように電子ビューファインダ２１の先端のアイカップ２２を胸に押し当ててビデオカメラ１０を固定して撮影する場合に好適である。このようなビデオカメラ１０の固定状態で撮影者が液晶ディスプレイ１３の表示面１３ａを見ると、その目が水平方向を見るときの水平目線ＥＨとその目が表示面１３ａを見るときの表示面目線ＥＤとのなす角度γ１を、小さくすることができ、撮影者が被写体と表示面１３ａを交互に見るために頭を上下方向に振る角度を小さくすることができる。従って、首の振れを少なくして首の筋肉疲労を軽減できるとともに、録画チャンスを逃すおそれを少なくすることができる。
【００４４】
更に、図４に示す液晶ディスプレイ１３の取付姿勢は、図１３に示すように、取手２０を手Ｆで持ってビデオカメラ１０を下げた状態で撮影する、いわゆるローアングル撮影をする場合に好適である。この状態では、取手２０を持つ手Ｆのすぐ前方に液晶ディスプレイ１３の表示面１３ａが配置されているとともに、その表示面１３ａが後方へ少々傾斜されているため、楽な姿勢において目線を表示面１３ａ上におくことができる。
【００４５】
しかも、ローアングルで撮影する場合に、液晶ディスプレイが側面部から側方に大きく突出していないため、撮影者の肩の関節Ａと手首の関節Ｃを結ぶ腕線ＡＣと肩の関節Ａから垂直に降ろした垂線ＡＶとのなす角度θ１を小さくすることができるため、撮影者の足Ｇに当たらないようにビデオカメラ１０を足Ｇから距離Ｓ１だけ遠ざけるようにしても、そのときの手Ｆの角度θ１を小さくすることができ、従って、手Ｆを足Ｇから遠ざける力を小さくすることができる。これにより、重さを感じ易い窮屈な姿勢を軽減させて、比較的楽にビデオカメラ１０をささげ持つことができる。
【００４６】
更に、図１０に示すように、取手２０の把持部２０ｃ（図１参照）における台座部２４の近傍に録画ボタン３５とズームボタン３６が設置されているため、把持部２０ｃを持った姿勢を変えることなく、その姿勢のままで親指の操作により録画ボタン３５とズームボタン３６の操作を行うことができる。従って、録画チャンスを逃がすおそれを少なくできるとともに、ズーミング操作を迅速に行うことができる。
【００４７】
なお、上述図５〜８例ではアイカップの構成を、カバーシートでエラストマー樹脂の部材を覆う例で示したが図１４Ａ〜Ｃ及び図１５に示すような他の構成でもよい。
【００４８】
すなわち、図１４Ａ〜Ｃは、図５〜８例のアイカップ２２が軟らかさの異なる２種類のエラストマー樹脂の部材５２ａ，５２ｂによってアイカップ２２の縁辺２２ｂの柔軟性を変えるようにしたのに対し、同一の材料でアイカップを形成し部分的にアイカップの構造を変えて縁辺の柔軟性を変えるようにしたものである。
【００４９】
図１４Ａは、アイカップの鼻柱やその周辺に当たる部分を中空として柔軟性を付与したものである。図１４Ｂは、鼻柱やその周辺に当たる部分の、例えば図示の矢印の周辺でのアイカップの厚さを薄くして柔軟性を付与したものである。図１４Ｃは、アイカップを柔軟性のあるスポンジ状になる発泡性の樹脂で作製し、鼻柱やその周辺に当たる部分で発泡する泡を大きく、頬骨の目尻側となる部分にかけて発泡する泡を小さくすることで樹脂の密度を変化させ、鼻柱やその周辺に当たる部分でのアイカップによる当たりを軟らかくするものである。
この図１４Ａ〜Ｃに示すような構造のアイカップを用いたビデオカメラでも上述例と同様の作用効果を得ることができることは容易に理解できよう。
【００５０】
また、上述図５〜８例ではアイカップの構成を、カバーシートでエラストマー樹脂の部材を覆う例で示したが、カバーシートはなくてもよく、また、カバーシートを用いる場合は、例で述べたシリコンゴムの代わりに皮革、人工皮革などでもよい。さらに、カバーシート内に入れられる部材はエラストマー樹脂でなくても柔軟性と弾性のあるものであれば他のプラスチック材あるいは金属製の構造体、またこれらの組み合わせでもよい。
【００５１】
また、上述例ではアイカップの構造として、鼻柱及びその周辺とそれ以外の領域の概ね左右の２つの領域でアイカップの縁辺の軟らかさを変えるように説明したが、これに限らず顔面とアイカップの当たり具合をより吟味し、より多くの領域、多種類の軟らかさの柔軟材料として作製してもよいのは勿論である。
また、上述例ではアイカップの形状として、右眼用のもので示したが、左眼に使用するときはこのアイカップを１８０°反転すればよい。
【００５２】
さらに、上述例と異なり左右対称のもので、図１５に示すような形状としたアイカップでも、上記で説明したような左右で軟らかさを変えた内部構造とすることで、顔とのあたりの軟らかいアイカップにすることができる。なお、図１５例のものは左側が右側より軟らかく構成した右眼用を示し、この図１５例のアイカップも１８０°反転することで左眼用に用いることができる。この場合の装着方向の区別は、例えば図１５の図示のように、眼などの絵や「Ｌ（左）」「Ｒ（右）」、など文字をマーキングすることで行うことができる。
【００５３】
上述例ではアイカップへの接眼レンズ、視度調整レンズの組み込みについては述べていないが、撮影者の視力に合わせ必要に応じ付けてもよい。
また、上述例で説明したアイカップ２２は、ビデオカメラだけでなく、電子スチルカメラその他の撮像装置にも使用できるのは勿論である。
【００５４】
また、本発明は上述例に限ることなく本発明の要旨を逸脱することなく、その他種々の構成が採り得ることは勿論である。
【図面の簡単な説明】
【００５５】
【図１】本発明の撮像装置の実施の形態の例を示すもので、表示面を取手の台座部に対向させて表示装置の非表示面を表に現した状態の斜視図である。
【図２】図１例で、表示装置を左右方向へ１８０度回動させて表示面を上面に現した状態の斜視図である。
【図３】図１例で、図２に示す状態から表示装置を後方へ９０度回動させて表示面を撮影者側に向けた状態の斜視図である。
【図４】図１例で、図３に示す状態から表示装置を更に後方へ９０度回動させた後台座側に１８０度回動させて表示面を上側に向けた状態の斜視図である。
【図５】本発明の撮像装置用アイカップの実施の形態の例を示す構造模式図である。
【図６】図５例の構造の説明に供する一部断面斜視図である。
【図７】図５例の構造の説明に供する分解斜視図である。
【図８】図５例の構造の説明に供する分解斜視図である。
【図９】図１例に係るケース本体と取手と表示装置の関係を説明する説明図である。
【図１０】図１例に係る撮像装置の使用状態を示す斜視図である。
【図１１】図１例に係る撮像装置の表示装置及び台座部を拡大して示す説明図である。
【図１２】図１例に係る撮像装置の使用状態を示すもので、表示装置の表示面を胸の高さに設定した説明図である。
【図１３】図１例に係る撮像装置の使用状態を示すもので、撮像装置をローアングルで保持した説明図である。
【図１４】本発明の撮像装置用アイカップの実施の形態の他の例を示し、Ａは中空部形成構造、Ｂは薄肉構造、Ｃは発泡構造をもつものの構造模式図である。
【図１５】本発明の撮像装置用アイカップの実施の形態のさらに他の例を示す外観斜視図である。
【図１６】アイカップを顔に当てての撮影の説明に供し、Ａは３点支持の形態図、Ｂはアイカップの縁辺と顔の接触部の説明図である。
【図１７】従来の撮像装置（ビデオカメラ）の外観斜視図である。
【符号の説明】
【００５６】
１０…ビデオカメラ（撮像装置）、１１…ケース本体、１２…レンズ装置、１３…液晶ディスプレイ（表示装置）、２２・・・アイカップ、２２ａ・・・開口、２２ｂ・・・縁辺、５１・・・筒部、５２ａ，５２ｂ・・・部材、５３・・・カバーシート、５４・・・相フランジ
【図１】
2005181861.tif 000003
【図２】
2005181861.tif 000004
【図３】
2005181861.tif 000005
【図４】
2005181861.tif 000006
【図５】
2005181861.tif 000007
【図６】
2005181861.tif 000008
【図７】
2005181861.tif 000009
【図８】
2005181861.tif 000010
【図９】
2005181861.tif 000011
【図１０】
2005181861.tif 000012
【図１１】
2005181861.tif 000013
【図１２】
2005181861.tif 000014
【図１３】
2005181861.tif 000015
【図１４】
2005181861.tif 000016
【図１５】
2005181861.tif 000017
【図１６】
2005181861.tif 000018
【図１７】
2005181861.tif 000019